(57)【要約】【課題】供給電源の遮断が一時的である場合にはシャットダウンを開始せず、機器の監視及び制御を継続させることを可能とする。【解決手段】バッテリ１１と、シャットダウンの開始待ち時間ｔ３の設定を受付ける時間設定受付部１３１と、主電源２からの電源供給の状態を検出する電源状態検出部１２１と、電源断が検出された場合に、電源の供給元をバッテリ１１に切替える電源切替え部１４と、電源断が検出された場合に、バックアップ可能時間ｔ１、シャットダウンに要する時間ｔ２、及び開始待ち時間ｔ３に基づいて、開始待ち時間ｔ３’の再設定を行う時間設定部１３２と、電源断が検出されてから開始待ち時間ｔ３’を経過するまでの間、当該電源断が継続されているかを判定する電源断継続判定部１３３と、電源断が継続されていると判定された場合に、シャットダウンを開始するシャットダウン処理部１５１とを備えた。【選択図】図１
2019079186.tif 000002
【特許請求の範囲】
【請求項１】
バッテリと、
シャットダウンの開始待ち時間の設定を受付ける時間設定受付部と、
主電源からの電源供給の状態を検出する電源状態検出部と、
前記電源状態検出部により電源断が検出された場合に、電源の供給元を前記主電源から前記バッテリに切替える電源切替え部と、
前記電源状態検出部により電源断が検出された場合に、前記バッテリによるバックアップ可能時間、シャットダウンに要する時間、及び前記時間設定受付部により受付けられた開始待ち時間に基づいて、シャットダウンの開始待ち時間の再設定を行う時間設定部と、
前記電源状態検出部により電源断が検出されてから前記時間設定部により再設定された開始待ち時間を経過するまでの間、当該電源断が継続されているかを判定する電源断継続判定部と、
前記電源断継続判定部により電源断が継続されていると判定された場合に、シャットダウンを開始するシャットダウン処理部と
を備えた監視装置。
【請求項２】
前記時間設定部は、前記シャットダウンに要する時間と前記時間設定受付部により受付けられた開始待ち時間との和が、前記バッテリによるバックアップ可能時間以上である場合に、当該バックアップ可能時間から当該シャットダウンに要する時間を差し引いた時間を、シャットダウンの開始待ち時間として再設定する
ことを特徴とする請求項１記載の監視装置。
【請求項３】
バッテリを有する監視装置によるシャットダウン開始方法であって、
時間設定受付部が、シャットダウンの開始待ち時間の設定を受付け、
電源状態検出部が、主電源からの電源供給の状態を検出し、
電源切替え部が、前記電源状態検出部により電源断が検出された場合に、電源の供給元を前記主電源から前記バッテリに切替え、
時間設定部が、前記電源状態検出部により電源断が検出された場合に、前記バッテリによるバックアップ可能時間、シャットダウンに要する時間、及び前記時間設定受付部により受付けられた開始待ち時間に基づいて、シャットダウンの開始待ち時間の再設定を行い、
電源断継続判定部が、前記電源状態検出部により電源断が検出されてから前記時間設定部により再設定された開始待ち時間を経過するまでの間、当該電源断が継続されているかを判定し、
シャットダウン処理部が、前記電源断継続判定部により電源断が継続されていると判定された場合に、シャットダウンを開始する
ことを特徴とするシャットダウン開始方法。
【発明の詳細な説明】
【技術分野】
【０００１】
この発明は、バッテリを有する監視装置及びシャットダウン開始方法に関する。
【背景技術】
【０００２】
監視装置は、対象とする機器の監視及び制御を行うとともに、当該機器の状態や当該機器での計測値を示すデータを保持する必要がある。よって、監視装置は、供給電源が突然無くなった場合にも安全にデータを保存しシステムを安全に停止させるため、バッテリを有している（例えば特許文献１参照）。そして、従来の監視装置では、停電と判断し次第シャットダウンを開始するように運用されている。
【先行技術文献】
【特許文献】
【０００３】
【特許文献１】特開平５−２１１７２９号公報
【発明の概要】
【発明が解決しようとする課題】
【０００４】
一方、工事、改修又はメンテナンス等の要因により、監視装置の電源系統が切替えられる場合がある。しかしながら、従来の監視装置では、電源系統の切替えにより一時的に供給電源が無くなることで停電が発生したと判断し、シャットダウンを開始してしまう。監視装置では、シャットダウン後、電源系統の切替えが完了すれば機器の監視及び制御を再開するが、シャットダウンから監視及び制御の再開までの間は監視及び制御が一時的に停止してしまうという課題が発生する。
【０００５】
この発明は、上記のような課題を解決するためになされたもので、供給電源の遮断が一時的である場合にはシャットダウンを開始せず、機器の監視及び制御を継続させることを可能とする監視装置を提供することを目的としている。
【課題を解決するための手段】
【０００６】
この発明に係る監視装置は、バッテリと、シャットダウンの開始待ち時間の設定を受付ける時間設定受付部と、主電源からの電源供給の状態を検出する電源状態検出部と、電源状態検出部により電源断が検出された場合に、電源の供給元を主電源からバッテリに切替える電源切替え部と、電源状態検出部により電源断が検出された場合に、バッテリによるバックアップ可能時間、シャットダウンに要する時間、及び時間設定受付部により受付けられた開始待ち時間に基づいて、シャットダウンの開始待ち時間の再設定を行う時間設定部と、電源状態検出部により電源断が検出されてから時間設定部により再設定された開始待ち時間を経過するまでの間、当該電源断が継続されているかを判定する電源断継続判定部と、電源断継続判定部により電源断が継続されていると判定された場合に、シャットダウンを開始するシャットダウン処理部とを備えたことを特徴とする。
【発明の効果】
【０００７】
この発明によれば、上記のように構成したので、供給電源の遮断が一時的である場合にはシャットダウンを開始せず、機器の監視及び制御を継続させることが可能となる。
【図面の簡単な説明】
【０００８】
【図１】この発明の実施の形態１に係る監視装置の構成例を示すブロック図である。
【図２】この発明の実施の形態１におけるコントローラの構成例を示すブロック図である。
【図３】この発明の実施の形態１に係る監視装置の動作例を示すフローチャートである。
【発明を実施するための形態】
【０００９】
以下、この発明の実施の形態について図面を参照しながら詳細に説明する。
実施の形態１．
図１はこの発明の実施の形態１に係る監視装置１の構成例を示すブロック図である。なお図１では、監視装置１の他に、主電源２も図示している。
監視装置１は、対象とする機器（不図示）の監視及び制御を行う。なお、監視装置１は、システムＬＳＩ等の処理回路、又はメモリ等に記憶されたプログラムを実行するＣＰＵ等により実現される。以下では、監視装置１が有する機能のうち、主電源２の電源断に伴うシャットダウン開始に関する機能についてのみ説明を行う。この監視装置１は、図１に示すように、バッテリ１１、ＡＣ／ＤＣ変換部１２、コントローラ１３、電源切替え部１４及び負荷１５を備えている。また、監視装置１には、交流電源を供給する主電源２が接続されている。また、ＡＣ／ＤＣ変換部１２は、電源状態検出部１２１を有している。また、負荷１５は、シャットダウン処理部１５１を有している。
【００１０】
バッテリ１１は、主電源２の電源断が発生した場合にバックアップ用として用いられる電源である。このバッテリ１１としては、長期間（例えば１０年）に渡って使用可能なものを用いる。すなわち、バッテリ１１は、経年変化によってバックアップ可能時間ｔ１が徐々に減っていくため、マージンを持たせたものを使用する。例えば、バッテリ１１として、例えば１０年程度使用可能なものを用いた場合、出荷時でのバックアップ可能時間ｔ１は９０秒程度である。
【００１１】
ＡＣ／ＤＣ変換部１２は、主電源２により供給された交流電源を直流電源に変換する。このＡＣ／ＤＣ変換部１２により得られた直流電源は、電源切替え部１４に出力される。
【００１２】
電源状態検出部１２１は、主電源２からの電源供給の状態を検出する。なお、電源状態検出部１２１による検出処理は定期的に実施される。そして、電源状態検出部１２１は、主電源２の電源断を検出した場合には、その旨を示す電源断（ＡＣ断）信号をコントローラ１３に出力する。なお、この電源断信号は、コントローラ１３を経由して電源切替え部１４にも送られる。また、電源状態検出部１２１は、主電源２からの電源供給の復帰を検出した場合には、その旨を示す復帰信号をコントローラ１３に出力する。なお、この復帰信号は、コントローラ１３を経由して電源切替え部１４にも送られる。
【００１３】
コントローラ１３は、電源状態検出部１２１からの信号に基づいて、負荷１５を制御する。このコントローラ１３は、図２に示すように、時間設定受付部１３１、時間設定部１３２及び電源断継続判定部１３３を有している。
【００１４】
時間設定受付部１３１は、ユーザによるシャットダウンの開始待ち時間ｔ３の設定を受付ける。
【００１５】
時間設定部１３２は、電源状態検出部１２１から電源断信号が入力された場合に、バッテリ１１によるバックアップ可能時間ｔ１、シャットダウン処理部１５１によるシャットダウンに要する時間ｔ２、及び時間設定受付部１３１により受付けられた開始待ち時間ｔ３に基づいて、シャットダウンの開始待ち時間ｔ３’の再設定を行う。この際、時間設定部１３２は、シャットダウンに要する時間ｔ２と時間設定受付部１３１により受付けられた開始待ち時間ｔ３との和が、バックアップ可能時間ｔ１より短い場合には、開始待ち時間ｔ３をそのまま開始待ち時間ｔ３’として用いる。一方、時間設定部１３２は、シャットダウンに要する時間ｔ２と時間設定受付部１３１により受付けられた開始待ち時間ｔ３との和が、バックアップ可能時間ｔ１以上である場合には、バックアップ可能時間ｔ１からシャットダウンに要する時間ｔ２を差し引いた時間を、シャットダウンの開始待ち時間ｔ３’として再設定する。
【００１６】
電源断継続判定部１３３は、電源状態検出部１２１から電源断信号が入力されてから時間設定部１３２により再設定された開始待ち時間ｔ３’を経過するまでの間、主電源２の電源断が継続されているかを判定する。そして、電源断継続判定部１３３は、主電源２の電源断が継続されていると判定した場合には、シャットダウンの開始指示を示すシャットダウン開始信号をシャットダウン処理部１５１に出力する。
【００１７】
電源切替え部１４は、通常状態ではＡＣ／ＤＣ変換部１２からの直流電源を負荷１５に出力し、電源状態検出部１２１から電源断信号が入力された場合には電源の供給元を主電源２からバッテリ１１に切替える。また、電源切替え部１４は、電源状態検出部１２１から復帰信号が入力された場合には、電源の供給元をバッテリ１１から主電源２に戻す。
【００１８】
シャットダウン処理部１５１は、電源断継続判定部１３３からシャットダウン開始信号が入力された場合に、シャットダウンを開始する。なお、シャットダウンの処理内容は、従来の監視装置１におけるシャットダウンと同様である。
【００１９】
次に、上記のように構成された監視装置１の動作例について、図３を参照しながら説明を行う。なお、監視装置１では、通常状態では、ＡＣ／ＤＣ変換部１２が主電源２により供給された交流電源を直流電源に変換し、その直流電源が電源切替え部１４を経由して負荷１５に出力されている。
また、時間設定受付部１３１は、事前に、ユーザによるシャットダウンの開始待ち時間ｔ３の設定を受付けている。ここで、通常状態では、ユーザは、開始待ち時間ｔ３として短い時間（例えば１秒）を設定する。一方、工事、改修又はメンテナンス等のように主電源２の切替えを行う場合には、ユーザは、開始待ち時間ｔ３として、当該切替えに要する時間よりも長い時間（例えば３０秒）を設定する。
【００２０】
そして、監視装置１の動作例では、図３に示すように、まず、電源状態検出部１２１は、主電源２の電源断を検出したかを判定する（ステップＳＴ３０１）。このステップＳＴ３０１において、電源状態検出部１２１が主電源２の電源断を検出していない場合には、シーケンスは再びステップＳＴ３０１に戻り、待機状態となる。
【００２１】
一方、ステップＳＴ３０１において、電源状態検出部１２１が主電源２の電源断を検出した場合には、電源切替え部１４は、電源の供給元を主電源２からバッテリ１１に切替える（ステップＳＴ３０２）。
【００２２】
また、時間設定部１３２は、バッテリ１１によるバックアップ可能時間ｔ１、シャットダウン処理部１５１によるシャットダウンに要する時間ｔ２、及び時間設定受付部１３１により受付けられた開始待ち時間ｔ３に基づいて、シャットダウンの開始待ち時間ｔ３’の再設定を行う。以下、時間設定部１３２の具体的な処理について説明する。
【００２３】
まず、時間設定部１３２は、バッテリ１１によるバックアップ可能時間ｔ１、シャットダウン処理部１５１によるシャットダウンに要する時間ｔ２、及び時間設定受付部１３１により受付けられた開始待ち時間ｔ３を取得する（ステップＳＴ３０３）。ここで、バッテリ１１によるバックアップ可能時間ｔ１は、経年変化により徐々に短くなる。そこで、時間設定部１３２は、バックアップ可能時間ｔ１に影響を与える要因（監視装置１の運用期間及びその運用期間での監視装置１の動作温度）に基づいて、バックアップ可能時間ｔ１を推定する。また、シャットダウンに要する時間ｔ２は、監視装置１の機種により大よその時間が決まるためその時間（固定値）を用いればよく、例えば１０秒程度である。
【００２４】
次いで、時間設定部１３２は、シャットダウンに要する時間ｔ２と開始待ち時間ｔ３との和がバックアップ可能時間ｔ１より短いかを判定する（ステップＳＴ３０４）。
【００２５】
このステップＳＴ３０４において、時間設定部１３２が、シャットダウンに要する時間ｔ２と開始待ち時間ｔ３との和がバックアップ可能時間ｔ１より短いと判定した場合には、開始待ち時間ｔ３を開始待ち時間ｔ３’とする（ステップＳＴ３０５）。
【００２６】
一方、ステップＳＴ３０４において、時間設定部１３２が、シャットダウンに要する時間ｔ２と開始待ち時間ｔ３との和がバックアップ可能時間ｔ１以上であると判定（（ｔ２＋ｔ３）≧ｔ１）した場合には、バックアップ可能時間ｔ１からシャットダウンに要する時間ｔ２を差し引いた時間（ｔ１−ｔ２）を開始待ち時間ｔ３’とする（ステップＳＴ３０６）。
例えば、ユーザが開始待ち時間ｔ３として誤って大きな値を設定した場合、又はバッテリ１１の経年変化によりユーザが想定していたよりもバックアップ可能時間ｔ１が短い場合等には、シャットダウンに要する時間ｔ２を確保できなくなってしまう恐れがあり、安定したシャットダウンが行えなくなってしまう。そこで、そのような場合には、現在のバックアップ可能時間ｔ１でシャットダウンの開始を待つことができる最大の時間（ｔ１−ｔ２）を開始待ち時間ｔ３’とする。
【００２７】
次いで、電源断継続判定部１３３は、主電源２の電源断が継続されているか（電源状態検出部１２１から復帰信号が入力されていないか）を判定する（ステップＳＴ３０７）。
【００２８】
このステップＳＴ３０７において、電源断継続判定部１３３は、主電源２の電源断が継続されていると判定した場合には、電源状態検出部１２１により電源断が検出されてから開始待ち時間ｔ３’を経過するかを判定する（ステップＳＴ３０８）。
このステップＳＴ３０８において、電源断継続判定部１３３が開始待ち時間ｔ３’を経過しないと判定した場合には、シーケンスはステップＳＴ３０７に戻り、上記の動作を繰り返す。
【００２９】
一方、ステップＳＴ３０７において、電源断継続判定部１３３が主電源２の電源断が継続されていない、すなわち電源状態検出部１２１から復帰信号が入力されたと判定した場合には、電源切替え部１４は、電源の供給元をバッテリ１１から主電源２に戻す（ステップＳＴ３０９）。これにより、監視装置１は通常状態に戻る。
【００３０】
また、ステップＳＴ３０８において、電源断継続判定部１３３が開始待ち時間ｔ３’を経過すると判定した場合には、シャットダウン処理部１５１は、シャットダウンを開始して負荷１５に対する終了処理を行う（ステップＳＴ３１０）。なお、シャットダウン処理部１５１によるシャットダウンは、従来の監視装置におけるシャットダウンと同様である。そして、監視装置１は、シャットダウン処理部１５１によるシャットダウンが完了した後、バッテリ１１の電源断を行う（ステップＳＴ３１１）。
【００３１】
ここで、通常状態では、時間設定部１３２はシャットダウンの開始待ち時間ｔ３’を短く設定し、従来のように主電源２の電源断を検出し次第シャットダウンを開始することができる。一方、工事、改修又はメンテナンス等のように電源系統を切替える際は、切替えに必要な時間を設定することで、時間設定部１３２はシャットダウンの開始待ち時間ｔ３’を通常より長く設定し、その期間、シャットダウンの開始を待たせることができる。よって、電源系統を切替える度に監視装置１がシャットダウンして制御が停止するという問題を回避することができる。
ただし、バッテリ１１が電源をバックアップしきれず、システムが安全に停止する前に電源供給が無くなることのないよう、開始待ち時間ｔ３’の設定可能範囲は、バックアップ可能時間ｔ１からシャットダウンに要する時間ｔ２を控除した範囲とする。
【００３２】
なお上記では、主電源２の系統切替えを行う場合として、工事、改修又はメンテナンスを挙げたが、これに限らず、ＵＰＳ設備（無停電電源装置）の導入又は交換等も挙げられる。
【００３３】
以上のように、この実施の形態１によれば、バッテリ１１と、シャットダウンの開始待ち時間ｔ３の設定を受付ける時間設定受付部１３１と、主電源２からの電源供給の状態を検出する電源状態検出部１２１と、電源状態検出部１２１により電源断が検出された場合に、電源の供給元を主電源２からバッテリ１１に切替える電源切替え部１４と、電源状態検出部１２１により電源断が検出された場合に、バッテリ１１によるバックアップ可能時間ｔ１、シャットダウンに要する時間ｔ２、及び時間設定受付部１３１により受付けられた開始待ち時間ｔ３に基づいて、シャットダウンの開始待ち時間ｔ３’の再設定を行う時間設定部１３２と、電源状態検出部１２１により電源断が検出されてから時間設定部１３２により再設定された開始待ち時間ｔ３’を経過するまでの間、当該電源断が継続されているかを判定する電源断継続判定部１３３と、電源断継続判定部１３３により電源断が継続されていると判定された場合に、シャットダウンを開始するシャットダウン処理部１５１とを備えたので、供給電源の遮断が一時的である場合にはシャットダウンを開始せず、機器の監視及び制御を継続させることが可能となる。
【００３４】
なお、本願発明はその発明の範囲内において、実施の形態の任意の構成要素の変形、もしくは実施の形態の任意の構成要素の省略が可能である。
【符号の説明】
【００３５】
１  監視装置
２  主電源
１１  バッテリ
１２  ＡＣ／ＤＣ変換部
１３コントローラ
１４  電源切替え部
１５  負荷
１２１  電源状態検出部
１３１  時間設定受付部
１３２  時間設定部
１３３  電源断継続判定部
１５１  シャットダウン処理部
【図１】
2019079186.tif 000003
【図２】
2019079186.tif 000004
【図３】
2019079186.tif 000005